(57)【要約】      （修正有）【課題】組み立ての安定性及び引張強度を向上させるリング状ヘアゴムを提供する。【解決手段】ゴム紐１と接合体２とを備える。ゴム紐１は、２つの端部１１を有し、２つの端部１１が前端面１１１および円環面１１２を有する。接合体２は、互いに対向する両側に内側へ凹む接合溝２１が設けられており、接合溝２１の内径がゴム紐１の２つの端部１１の外径より大きい内径であり、底壁２１１と周壁２１２とを有し、接合溝２１内にゴム紐１の端部１１が挿入されており、ゴム紐１の端部１１の前端面１１１及び円環面１１２と接合溝の底壁２１１および周壁２１２とが接着接合されている。【選択図】図１
0003204661.tif 000002
【実用新案登録請求の範囲】
【請求項１】
２つの端部を有し、２つの前記端部が前端面および円環面を有するゴム紐と、
互いに対向する両側に内側へ凹む接合溝が設けられており、前記接合溝の内径が前記ゴム紐の２つの前記端部の外径より大きい内径であり、底壁と周壁とを有し、前記接合溝内に前記ゴム紐の前記端部が挿入されており、前記ゴム紐の前記端部の前端面及び円環面と前記接合溝の底壁および周壁とが接着接合されている接合体と、
を備えることを特徴とするリング状のヘアゴム。
【請求項２】
前記ゴム紐は、伸縮可能な素材で作られており、外側に織物層が被覆されていることを特徴とする請求項１に記載のリング状ヘアゴム。
【請求項３】
前記ゴム紐は、ゴムで作られていることを特徴とする請求項１に記載のリング状ヘアゴム。
【請求項４】
前記接合体は、プラスチックで作られていることを特徴とする請求項１に記載のリング状ヘアゴム。
【請求項５】
前記接合体は、前記ゴム紐に対応する円弧状であり、前記ゴム紐の中心に対応する内側湾曲部を有することを特徴とする請求項１に記載のリング状ヘアゴム。
【請求項６】
前記接合溝は、前記内側湾曲部に応じて湾曲可能であることを特徴とする請求項５に記載のリング状ヘアゴム。
【考案の詳細な説明】
【技術分野】
【０００１】
本考案は、リング状ヘアゴムに関する。
【背景技術】
【０００２】
従来のヘアゴムは、髪を束ねるため、常にリング状の形に設計され、該ヘアゴムは一般的なゴム或いはその他の伸縮可能な素材で製造されたゴム紐を備え、またゴム紐の２つの端部を密着させてから接着剤で接合することでリング状の形を形成できる。
【０００３】
しかしながら前記ゴム紐２つの端部の接着面積が小さく、且つ該伸縮性を有するゴム接合の堅牢性が悪く、該ヘアゴムに力をかけて拡張した時その２つの端部の接合位置が容易に破断するという欠陥が起きていた。
【０００４】
前記欠陥を改善するため、図６に示すような他の従来のヘアゴム構造の該ヘアゴムは、ゴム紐１’と留め具２’とを備え、該ゴム紐１’が伸縮性のある素材で製造され、２つの端部１１’を有する。また留め具２’が金属で製造され、留め爪２１’を有し、ゴム紐１’の２つの端部１１’を近づけて留め具２’で同時に２つの端部１１’を留め合わせ、且つ該留め爪２１’は同時に２つの端部１１’内に嵌め込んで組み立てることができる。
【０００５】
前記組み立て方法は、留め爪２１’を２つの端部１１’内に嵌め込んで組み立てらなければならないため、該２つの端部１１’の位置が破壊され、組み立ての完全性を持たない。これ以外に金属の腐食の恐れがあり、且つ比較的大きな力をかけた時に２つの端部１１’が引裂される可能性のある欠陥がある。
【考案の概要】
【考案が解決しようとする課題】
【０００６】
本考案は、組み立ての安定性及び引張強度を向上させるリング状のヘアゴムを提供することにある。
【課題を解決するための手段】
【０００７】
本考案によるリング状のヘアゴムは、ゴム紐と接合体とを備える。ゴム紐は、２つの端部を有し、２つの前記端部が前端面および円環面を有する。接合体は、互いに対向する両側に内側へ凹む接合溝が設けられており、前記接合溝の内径が前記ゴム紐の２つの前記端部の外径より大きい内径であり、底壁と周壁とを有し、前記接合溝内に前記ゴム紐の前記端部が挿入されており、前記ゴム紐の前記端部の前端面及び円環面と接合溝の底壁および周壁とが接着接合されている。
【０００８】
また、接合体は、ゴム紐に対応する円弧状であり、ゴム紐の中心に対応する内側湾曲部を有する。また、接合溝は、内側湾曲部に応じて湾曲可能である。
【０００９】
本考案の組み立て時において、ゴム紐の２つの端部に接着剤を設け、また２つの端部を各々接合体の両側の接合溝内に挿入する。接合溝の内径がゴム紐２つの端部の外径よりやや大きいため、ゴム紐の２つの端部を接合溝内に挿入した時の２つの端部の前端面及び円環面と、各々両接合溝の底壁および周壁とは、安定的に接着接合することで、比較的大きい接着接合面積を有する。接合体の素材がゴム紐の伸縮ゴム素材ではなく、ゴム紐と接合体の組み立てに好適な安定性を持たせ、また引張強度に優れたリング状のヘアゴムを構成することができる。
【図面の簡単な説明】
【００１０】
【図１】本考案の実施例１を示す分解図である。
【図２】本考案の実施例１の組み立て状態を示す断面図である。
【図３】本考案の実施例１の組み立て状態を示す斜視図である。
【図４】本考案の実施例２の組み立て状態を示す断面図である。
【図５】本考案の実施例３の飾りを設けた組み立て状態を示す断面図である。
【図６】従来のヘアゴムの斜視図である。
【考案を実施するための形態】
【００１１】
（実施例１）
以下の実施例において、本考案の類似機能の構成要素は同じ符号で表示する。図１〜図３を参照すると、本考案の実施例１で、ゴム紐１と接合体２とを含み、前記ゴム紐１はストリップ状体で、２つの端部１１を有し、該２つの端部１１が前端面１１１と円環面１１２とを有する。また該ゴム紐１はゴム又はその他の伸縮可能な素材で製造することができ、且つ外側に織物層（図示せず）を被覆できる。
【００１２】
接合体２は、円柱状体で、プラスチック、金属或いはその他の適切な素材で製造（図中の比較的太い黒線）でき、また対向する両側に各々内方へ凹む接合溝２１を設え、該接合溝２１の直径がゴム紐１つの端部１１の直径よりやや大きく、また底壁２１１と周壁２１２とを有する。また該接合体２は、リング状ヘアゴムに対応して円弧状体を設け、またリング状ヘアゴムの中心方向に対応して内側湾曲部２２を有し、該両側の接合溝２１が内側湾曲部２２に対してカーブさせることができる。
【００１３】
本考案の組み立て時のゴム紐１の２つの端部１１に接着剤３を設け、また２つの端部１１を各々接合体２の両側の接合溝２１内に挿入させることができる。接合溝２１の孔径がゴム紐１つの端部１１の直径よりやや大きいため、ゴム紐１の２つの端部１１を接合溝２１内に挿入した時の２つの端部１１の前端面１１１及び円環面１１２は、各々両接合溝２１の底壁２１１、周壁２１２と安定して接着接合でき、比較的大きい接着接合面積を有することができ、且つ該接合体２の素材がゴム紐１の伸縮ゴム素材ではなく、ゴム紐１と接合体２の組み立てに好適な安定性を持たせ、また引張強度に優れたリング状ヘアゴムを構成できる。
【００１４】
このほかに、図２に示すように、本考案の接合体２は、リング状ヘアゴムに合わせて円弧状体を呈するため、組み立て後の接合体２の縁端にゴム紐１に押し当てる端面を形成せず、ゴム紐１がヘアゴムの中心方向に向かって折れるのを防止でき、且つ該接合体２のカーブ設計は髪を束ねた時に合わせてカーブして髪を束ねることができ、髪を束ねる安定性を向上できる。
【００１５】
（実施例２）
図４は、本考案の実施例２で、該実施例２が実施例１と類似している。その相違点は、接合体２が飾り部２３を直接成形型でき、髮の装飾効果を高めることができることである。
【００１６】
（実施例３）
図５は、本考案の実施例３で、該実施例３が実施例１と類似している。その相違点は、飾り４を更に含み、該飾り４の設置直径を接合体２の貫通孔４１に挿通でき、また本考案のリング状ヘアゴムを飾り４の貫通孔４１に挿通させると共に飾り４に対して回転でき、且つ髮を束ねる時、飾り４を通じて装飾効果を高めることができる。
【００１７】
よって、以上に述べたものから本考案は、リング状ヘアゴムの組み立て強度を大幅に向上できることが分かり、また前述の実施例はあくまでも本考案の態様の例示であって、そのような具体例にのみ限定して狭義に解釈されるべきものではなく、本考案の精神に基づき、行う種々の修正及び変更は、均しく本考案の範囲に属するものであるのが勿論である。
【符号の説明】
【００１８】
１  ゴム紐
１１  端部
１１１  前端面
１１２  円環面
２  接合体
２１  接合溝
２１１  底壁
２１２  周壁
２２  内側湾曲部
２３  飾り部
３  接着剤
４  飾り
４１  貫通孔
１’    ゴム紐
１１’  端部
２’  留め具
２１’  留め爪
【図１】
0003204661.tif 000003
【図２】
0003204661.tif 000004
【図３】
0003204661.tif 000005
【図４】
0003204661.tif 000006
【図５】
0003204661.tif 000007
【図６】
0003204661.tif 000008